(57)【要約】【課題】  本発明は、靴の内部、とくにつま先部分の多湿悪臭を除去して靴の環境を改善し、またくり返し使用に供される吸湿脱臭剤を提供ことを目的とするものである。【解決手段】  この発明に係る靴用吸湿脱臭材は、吸湿性、消臭性、抗菌性並びに光触媒に優れた素材より製せられる柔軟性を有するシート基材１よりなり、該シート基材１を復元可能に折り畳み中空ロール体２ａまたは扁平体２ｂを形成し、粘着テープ３等により、靴５内部の先端側に着脱可能に装着され、折り畳んで使用された前記シート基材１をシート状態に復元して、太陽光線をあて光触媒効果により、その脱臭能力を回復してくり返しの使用に供されるものである。【選択図】      図３
2005074205.tif 000002
【特許請求の範囲】
【請求項１】
吸湿性、消臭性、抗菌性並びに光触媒に優れた素材より製せられる柔軟性を有するシート基材よりなり、該シート基材を復元可能に折り畳み粘着テープ等により、靴内部の先端側に着脱可能に装着されることを特徴とする靴用吸湿脱臭材。
【請求項２】
折り畳んで使用された前記シート基材をシート状態に復元して、太陽光線をあて光触媒効果により、その脱臭能力を回復してくり返しの使用に供されることを特徴とする請求項１記載の靴用吸湿脱臭材。
【発明の詳細な説明】
【技術分野】
【０００１】  本発明は靴の中に発生する湿気および悪臭を除去するための靴用吸湿脱臭材に関するものである。
【背景技術】
【０００２】  従来、靴に用いられるこの種の吸湿脱臭材には靴底にシート状の中敷きを敷設したものが一般的に知られ、また、雨等で濡れた靴にパルプから製せられる新聞紙を丸めて吸湿させて乾燥させることが広く行われている。【０００３】  さらに、脱臭剤、吸収剤、吸湿剤等の薬剤を、柔軟性のある材料で小さな穴を多数設けた通気性のある容器の中へ入れ、固定のため底部に接着部分を設けて両面テープ、あるいは市販の中敷等を用いて靴の中のつま先部分に固定するものがある（例えば、特許文献１参照。）
【特許文献１】特開平１０−１１３２０２号公報
【発明の開示】
【発明が解決しようとする課題】
【０００４】  しかしながら従来用いられている靴の中の脱臭、吸湿は、この種薬剤を撒布または塗布等の手段で中敷等を利用して行った場合には、中敷自体が薄く、靴の内部先端の多湿悪臭環境を効率良く除去することができず、また、吸湿脱臭効果は短期間で終りやすく、しかもその取り替えが煩雑であった。【０００５】  さらに、吸湿脱臭剤を、小さな穴を穿った容器に入れて靴の内部先端に装着する場合には、容器によって被覆されており、その吸湿脱臭作用が半減され、また、中敷等のシートに比較して容積が大きくなり易く、足のつま先との当接等による違和感が生じて、実用的ではなかった。【０００６】  本発明は、靴の内部、とくにつま先部分の多湿悪臭を除去して靴の環境を改善し、またくり返し使用に供される吸湿脱臭剤を提供ことを目的とするものである。
【課題を解決するための手段】
【０００７】  本発明に係る靴用吸湿脱臭材は、吸湿性、消臭性、抗菌性並びに光触媒に優れた素材より製せられる柔軟性を有するシート基材よりなり、該シート基材を復元可能に折り畳み、粘着テープ等により、靴内部の先端側に着脱可能に装着されることを特徴とするものである。【０００８】  さらに、本発明に係る靴用吸湿脱臭材は、折り畳んで使用された前記シート基材をシート状態に復元して、太陽光線をあて光触媒効果により、その脱臭能力を回復してくり返しの使用に供されることを特徴とするものである。
【発明の効果】
【０００９】  本発明に係る靴用吸湿脱臭材は、上記の構成を有するもので、吸湿性、消臭性、抗菌性並びに光触媒に優れた素材より製せられる柔軟性を有するシート基材を用いるもので、靴の内部に生じ易い湿気や悪臭を効果的に除去することができる。【００１０】  さらに、シート基材を中空ロールまたは扁平状等に巻回して折り畳んだ状態で、靴の先端側に装着されるため、その設置面が嵩張ることなくその表面積を高めて、吸湿および脱臭を効率良く行うことができる。【００１１】  さらに、柔軟性を有するシート基材を用いることにより、変形し易く靴の内部に順応し、また、履いたとき足の指が当接してもフィットして、違和感を生じさせたり、履き心地を妨げることがない。【００１２】  さらに、巻回して折り畳んで使用されて吸湿力および脱臭力が減少したシート基材を取り出し、シート状態に復元して太陽光線をあてると、光触媒効果により、その吸収および脱臭能力が回復されて長期間くり返しの使用に供されることができる。
【発明を実施するための最良の手段】
【００１３】  図１は、本発明に係る靴用吸湿脱臭材を構成するシート基材を示す斜視図であり、図２は、シート基材の折り畳み状態を示す斜視図であり、図３は、円筒状に折り畳んだ中空ロール形の吸湿脱臭材を、また、図４は、折り畳んだ中空ロール形を扁平状にした吸湿脱臭材を示すものであり、図５および図６は、靴への装着状態を示す略示図である。
【００１４】  本発明に係る靴用吸湿脱臭材は、シート基材１として天然繊維のパルプと綿を混ぜた不織布を素材として用いるものである。
【００１５】  このようにパルプと綿を混ぜた不織布は、吸湿性に優れており、高い吸湿効果が得られるとともにパルプのもつ破損し易い欠点を綿で補って、柔軟性、クッション性のあるシート基材１を得ることができる。
【００１６】  さらに、この素材に展着剤として、調湿、脱臭に優れた人工又は合成ゼオライト、抗菌剤および光触媒用を呈する酸化チタンを展着するものである。
【００１７】  このゼオライトは活性炭と同様多孔質な構造体であり、吸湿、脱臭等の機能をもつため、人工又は合成ゼオライトを併用することにより、パルプや綿の吸湿性との相乗効果により吸湿、調湿機能を一段と高めるものである。
【００１８】  このように吸湿、脱臭、抗菌等を有し、かつ、柔軟性、クッション性を有するシート基材１を、図１に示すように、適宜大きさに切断して平面視短冊状に形成したのち、図２に示すように、復元可能に巻回して折り畳んで、図３に示すように、中空ロール体２ａからなる吸湿脱臭材２を形成し、その終端部を両面テープ３で貼着してなるものである。
【００１９】  上記中空ロール体２ａに形成された脱臭材２は、図５に示すように、終端部に設けられている両面テープ３の剥離紙４を剥離して、靴５のつま先の先端部にその円弧状面に合わせて湾曲状に屈曲して着脱可能に接着されるものである。
【００２０】  この吸湿脱臭材２は、図３に示すように、巻回して復元可能に折り畳んで中空ロール体２ａに形成する以外、図４に示すように、復元可能に折り畳んだ中空ロール体２ａをやや押し潰した扁平体２ｂに形成するものであってもよく、その形状はとくに限定されるものではなく、靴５の形や足６の形に合わせて適宜選択することができる。
【００２１】  さらに、復元可能に折り畳んで形成される吸湿脱臭材２は、適宜靴５のつま先の先端部に張着した後取出して、図１に示すように、シート状に開いてシート基材１に復元して、その照射面積を大きくして、太賜光線に当てて乾燥して、その吸収力を回復させる。
【００２２】  この巻回状に折り畳んだ吸湿脱臭材２は、シート基材１に復元して太陽光線に当てることにより、シート基材１に展着した酸化チタンの光触媒作用により、その脱臭力を回復して、再度折り畳んで中空ロール体２ａまたは扁平体２ｂの吸湿脱臭材２に形成して、その終端部を両面テープ３で貼着して、再使用に供されるものである。
【００２３】  また、この吸湿脱臭材２は、シート基材１の柔軟性を利用して、つま先が尖った靴の場合には、図５に示すように、ややその屈曲状態を大きくして貼着されるが、つま先が円くなっている靴の場合には、図６に示すように、吸湿脱臭材２をやや扁平状に屈曲して貼着されるものである。
【図面の簡単な説明】
【００２４】
【図１】本発明に係る吸湿脱臭材のシート基材を示す斜視図である。
【図２】シート基材の折り畳み状態を示す斜視図である。
【図３】中空ロール体からなる吸湿脱臭材を示す斜視図である。
【図４】扁平体からなる吸湿脱臭材を示す斜視図である。
【図５】中空ロール体に折り畳んだ脱臭材を尖った靴への取付け状態を示す略示図である。
【図６】扁平体に折り畳んだ脱臭材をやや円い靴への取付け状態を示す略示図である。
【符号の説明】
【００２５】    １    シート基材
２    吸湿脱臭材
２ａ  中空ロール体の吸湿脱臭材
２ｂ  扁平体の吸湿脱臭材
３    両面テープ
４    剥離紙
５    靴
６    足
【図１】
2005074205.tif 000003
【図２】
2005074205.tif 000004
【図３】
2005074205.tif 000005
【図４】
2005074205.tif 000006
【図５】
2005074205.tif 000007
【図６】
2005074205.tif 000008